(57)【要約】【課題】ナビゲーション機能を有する情報機器において、ユーザが自分の感覚に合わせて案内条件を任意にカスタマイズ可能とする。【解決手段】車載用ナビゲーション装置などの情報機器は、ユーザが操作入力を行う操作部と、操作部に対する入力に基づいて、予め決定された地点と当該地点に関する案内情報を出力すべき案内地点との距離である案内距離を設定する設定手段と、を備える。案内情報の出力は、例えばユーザが指定した目的地までの経路誘導中などに行われる。即ち、経路誘導を行う誘導ルート上の次の交差点などの経由地点から案内距離の地点に車両が到達したときに、案内情報が出力される。ユーザが操作部を操作して任意の案内距離を入力すると、その案内距離が記憶手段に記憶される。そして、記憶されている案内距離に基づいて、適切なタイミングで音声メッセージなどの案内情報が出力される。【選択図】図３
2007232390.tif 000002
【特許請求の範囲】
【請求項１】
ナビゲーション機能を有する情報機器であって、
操作部と、
前記操作部に対する入力に基づいて、予め決定された地点と当該地点に関する案内情報を出力すべき案内地点との距離である案内距離を設定する設定手段と、
前記設定手段により設定された案内距離を記憶する記憶手段と、
前記記憶手段に記憶された案内距離に基づいて、前記案内情報を出力する案内手段と、を備えることを特徴とする情報機器。
【請求項２】
前記設定手段は、前記案内距離を設定するためのメニュー画面を表示装置に表示することを特徴とする請求項１に記載の情報機器。
【請求項３】
前記案内手段は、前記予め決定された地点への到着に先立って、複数の案内タイミングにおいて前記案内情報を出力し、
前記メニュー画面は、前記案内タイミング毎に前記案内距離を設定するための入力項目を含むことを特徴とする請求項２に記載の情報機器。
【請求項４】
前記設定手段は、案内距離が０ｍに設定された案内タイミングにおいては、前記案内情報の出力を行わないことを特徴とする請求項３に記載の情報機器。
【請求項５】
操作部及び記憶部を備え、ナビゲーション機能を有する情報機器によって実行される案内情報提供方法であって、
前記操作部に対する入力に基づいて、予め決定された地点と当該地点に関する案内情報を出力すべき案内地点との距離である案内距離を設定する設定工程と、
前記設定工程により設定された案内距離を前記記憶部に記憶する記憶工程と、
前記記憶部に記憶された案内距離に基づいて、前記案内情報を出力する案内手段と、を備えることを特徴とする案内情報提供方法。
【請求項６】
操作部、記憶部及びコンピュータを備え、ナビゲーション機能を有する情報機器によって実行される案内情報提供プログラムであって、
前記操作部に対する入力に基づいて、予め決定された地点と当該地点に関する案内情報を出力すべき案内地点との距離である案内距離を設定する設定手段、
前記設定手段により設定された案内距離を前記記憶部に記憶する記憶手段、
前記記憶部に記憶された案内距離に基づいて、前記案内情報を出力する案内手段として前記コンピュータを機能させることを特徴とする案内情報提供プログラム。
【請求項７】
請求項６に記載の案内情報提供プログラムを記録したことを特徴とする記録媒体。
【発明の詳細な説明】
【技術分野】
【０００１】
本発明は、ナビゲーション機能を備える情報機器における案内情報の提供方法に関する。
【背景技術】
【０００２】
一般的に、ナビゲーション装置は、車両などの移動体の現在位置を中心として所定の範囲の地図情報を表示装置に表示する。また、近年では、多くのナビゲーション装置はユーザが任意に指定した目的地までのルートを探索し、得られた探索ルートに従ってルート案内を行う機能を備えている。通常、車両が探索ルート上に存在する交差点などの経由地点から所定距離の位置に到達すると、ナビゲーション装置はその経由地点における案内情報をナビゲーション画像及び音声によりユーザに提供する。特許文献１には、このような案内情報の発生頻度をユーザが変更できるように構成されたナビゲーション装置が開示されている。
【０００３】
【特許文献１】特開２００３−１５６３４８号公報
【発明の開示】
【発明が解決しようとする課題】
【０００４】
上記のように案内情報の発生頻度を変更することができても、案内情報が出力されるタイミング自体はナビゲーション装置毎に予め固定されている。よって、あるメーカーのナビゲーション装置は交差点から７００ｍ手前で案内情報が出力され、他のメーカーのナビゲーション装置は交差点から５００ｍ手前で案内情報が出力される。しかし、このようにメーカーにより決められた案内情報の出力タイミングが、個々のユーザの距離感覚と一致しているとは限らない。即ち、ナビゲーション装置のタイミングと距離感覚とが一致しないユーザは、交差点を曲がるタイミングがわかりにくく、曲がるべき交差点を間違えてしまう。
【０００５】
本発明が解決しようとする課題としては、上記のものが一例として挙げられる。本発明の目的は、ナビゲーション機能を有する情報機器において、ユーザが自分の感覚に合わせて案内条件を任意にカスタマイズ可能とすることにある。
【課題を解決するための手段】
【０００６】
請求項１に記載の発明は、ナビゲーション機能を有する情報機器であって、操作部と、前記操作部に対する入力に基づいて、予め決定された地点と当該地点に関する案内情報を出力すべき案内地点との距離である案内距離を設定する設定手段と、前記設定手段により設定された案内距離を記憶する記憶手段と、前記記憶手段に記憶された案内距離に基づいて、前記案内情報を出力する案内手段と、を備えることを特徴とする。
【０００７】
請求項５に記載の発明は、操作部及び記憶部を備え、ナビゲーション機能を有する情報機器によって実行される案内情報提供方法であって、前記操作部に対する入力に基づいて、予め決定された地点と当該地点に関する案内情報を出力すべき案内地点との距離である案内距離を設定する設定工程と、前記設定工程により設定された案内距離を前記記憶部に記憶する記憶工程と、前記記憶部に記憶された案内距離に基づいて、前記案内情報を出力する案内手段と、を備えることを特徴とする。
【０００８】
請求項６に記載の発明は、操作部、記憶部及びコンピュータを備え、ナビゲーション機能を有する情報機器によって実行される案内情報提供プログラムであって、前記操作部に対する入力に基づいて、予め決定された地点と当該地点に関する案内情報を出力すべき案内地点との距離である案内距離を設定する設定手段、前記設定手段により設定された案内距離を前記記憶部に記憶する記憶手段、前記記憶部に記憶された案内距離に基づいて、前記案内情報を出力する案内手段として前記コンピュータを機能させることを特徴とする。
【発明を実施するための最良の形態】
【０００９】
本発明の１つの実施形態では、ナビゲーション機能を有する情報機器は、操作部と、前記操作部に対する入力に基づいて、予め決定された地点と当該地点に関する案内情報を出力すべき案内地点との距離である案内距離を設定する設定手段と、前記設定手段により設定された案内距離を記憶する記憶手段と、前記記憶手段に記憶された案内距離に基づいて、前記案内情報を出力する案内手段と、を備える。
【００１０】
上記の情報機器は例えば車載用ナビゲーション装置などとすることができ、ユーザが操作入力を行う操作部と、操作部に対する入力に基づいて、案内距離を設定する設定手段とを備える。案内距離とは、例えば誘導ルート上の経由地点などの予め決定された地点と、当該地点に関する案内情報を出力すべき案内地点との距離である。案内情報の出力は、例えばユーザが指定した目的地までの経路誘導中などに行われる。即ち、経路誘導を行う誘導ルート上の次の交差点などの経由地点から案内距離の地点に車両が到達したときに、案内情報が出力される。なお、案内情報は典型的には音声メッセージであるが、画像情報としてもよい。ユーザが操作部を操作して任意の案内距離を入力すると、その案内距離が記憶手段に記憶される。そして、記憶されている案内距離に基づいて、適切なタイミングで案内情報が出力される。よって、ユーザは自分の感覚に適合したタイミングで案内情報を出力させることができる。
【００１１】
上記の情報機器の好適な例では、前記設定手段は、前記案内距離を設定するためのメニュー画面を表示装置に表示する。これにより、ユーザはメニュー画面を見ながら容易に案内距離を設定することができる。
【００１２】
上記の情報機器の一態様では、前記案内手段は、前記予め決定された地点への到着に先立って、複数の案内タイミングにおいて前記案内情報を出力し、前記メニュー画面は、前記案内タイミング毎に前記案内距離を設定するための入力項目を含む。この態様では、１つの予め決定された地点に関して複数の案内タイミングで案内情報が出力される場合には、ユーザはそれぞれの案内タイミングについて個別に案内距離を設定することができる。
【００１３】
上記の情報機器の他の一態様では、前記設定手段は、案内距離が０ｍに設定された案内タイミングにおいては、前記案内情報の出力を行わない。これにより、ユーザは案内情報が出力される回数も任意に設定することが可能となる。
【００１４】
本発明の他の実施形態では、操作部及び記憶部を備え、ナビゲーション機能を有する情報機器によって実行される案内情報提供方法は、前記操作部に対する入力に基づいて、予め決定された地点と当該地点に関する案内情報を出力すべき案内地点との距離である案内距離を設定する設定工程と、前記設定工程により設定された案内距離を前記記憶部に記憶する記憶工程と、前記記憶部に記憶された案内距離に基づいて、前記案内情報を出力する案内手段と、を備える。この方法によれば、ユーザは自分の感覚に適合したタイミングで案内情報を出力させることができる。
【００１５】
本発明のさらに他の実施形態では、操作部、記憶部及びコンピュータを備え、ナビゲーション機能を有する情報機器によって実行される案内情報提供プログラムは、前記操作部に対する入力に基づいて、予め決定された地点と当該地点に関する案内情報を出力すべき案内地点との距離である案内距離を設定する設定手段、前記設定手段により設定された案内距離を前記記憶部に記憶する記憶手段、前記記憶部に記憶された案内距離に基づいて、前記案内情報を出力する案内手段として前記コンピュータを機能させる。このプログラムを、コンピュータを備える情報機器上で実行することにより、上記の情報機器を実現することができる。なお、この案内情報提供プログラムは、記録媒体に記憶した状態で取り扱うことができる。
【実施例】
【００１６】
以下、図面を参照して本発明の好適な実施例について説明する。なお、以下の説明は、本発明を車両に搭載されるナビゲーション装置に適用した例を示す。
【００１７】
［ナビゲーション装置］
図１に、ナビゲーション装置１の構成を示す。図１に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０及び入力装置６０を備える。
【００１８】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００１９】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００２０】
システムコントローラ２０は、インタフェース２１、ＣＰＵ（Central Processing Unit）２２、ＲＯＭ（Read Only Memory）２３及びＲＡＭ（Random Access Memory）２４を含んでおり、ナビゲーション装置１全体の制御を行う。
【００２１】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００２２】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００２３】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００２４】
データ記憶ユニット３６は、例えばＨＤＤなどにより構成され、地図データや施設データなどのナビゲーション処理に用いられる各種データを記憶するユニットである。
【００２５】
通信装置３８は、例えば、ＦＭチューナやビーコンレシーバ、携帯電話や専用の通信カードなどにより構成され、通信用インタフェース３７を介して、ＶＩＣＳ（Vehicle Information Communication System）センタから配信される渋滞や交通情報などの道路交通情報、その他の情報を受信する。
【００２６】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データを、ディスプレイなどの表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Video RAM ）等のメモリからなり即時表示可能な画像情報を一時的に記憶するバッファメモリ４２と、グラフィックコントローラ４１から出力される画像データに基づいて、液晶、ＣＲＴ（Cathode Ray Tube）等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。
【００２７】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Digital to Analog）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００２８】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００２９】
なお、図１における入力装置６０は操作部として機能し、システムコントローラ２０内のＲＡＭ２４は記憶手段及び記憶部として機能し、ＣＰＵ２２を含むシステムコントローラ２０は設定手段及び案内手段として機能する。
【００３０】
図２に、入力装置６０の一例としてのリモコン６０ａの外観を模式的に示す。リモコン６０ａは各種の操作ボタンが設けられている。特に、本実施例では、十字キー６１及び決定キー６２が設けられている。十字キー６１は、上下左右のいずれかの方向に対して入力が可能である。以下、説明の便宜上、十字キー６１の上方向の入力部を上方向キー６１Ｕ、下方向の入力部を下方向キー６１Ｄ、左方向の入力部を左方向キー６１Ｌ、右方向の入力部を右方向キー６１Ｒと呼ぶ。
【００３１】
［案内条件の設定］
次に、ナビゲーション装置１における案内条件の設定について説明する。図３は、経路誘導中にナビゲーション装置１のディスプレイ４４に表示されるナビゲーション画像の表示例である。図示のように、ナビゲーション画像１００には、ナビゲーション装置１が搭載された車両の現在位置（以下、「自車位置」とも呼ぶ。）付近の地図が表示される。自車位置１０１をほぼ中心として、選択されている縮尺により決まる所定範囲の地図画像が表示される。地図画像は道路１０３を含む。
【００３２】
また、経路誘導において使用される誘導ルート１０５は太線で示されている。経路誘導は、以下のように行われる。ユーザが任意の目的地を指定すると、ナビゲーション装置１のシステムコントローラ２０は、自車位置から、指定された目的地に至るルートを計算し、探索ルートとしてユーザに提示する。ユーザは、ナビゲーション装置１により提示された複数の探索ルートのうち１つを選択し、そのルートが誘導ルートとなる。こうして決定された誘導ルートは、右左折や方向転換などを行うべき交差点、高速道路や有料道路の出入口などの経由地点を含む。システムコントローラ２０は、自車位置が次の経由地点から所定距離に到達すると、次の経由地点に関連する案内情報を出力する。通常、案内情報は、次の経由地点における運転方法をユーザに伝えるものであり、例えば「５００ｍ先を右方向です」、「まもなく右方向です」などの音声メッセージが出力される。
【００３３】
図３の例では、自車位置１０１から次の経由地点は破線で示す交差点１０６であり、システムコントローラ２０は、自車位置１０１が交差点１０６から所定距離に到達したときに、案内情報を出力する。通常、案内情報は、車両が次の経由地点に至る前に複数回、即ち複数の案内タイミングで出力される。例えば、次の交差点１０６までの距離が７００ｍ、５００ｍ、２００ｍの各位置で案内情報が出力される。このように案内情報が出力される地点を「案内地点」と呼び、各案内地点から経由地点までの距離を「案内距離」と呼ぶ。即ち、上記の例では、案内距離７００ｍ、５００ｍ及び２００ｍの３つの案内地点で案内情報が出力される。
【００３４】
本実施例では、この案内距離をユーザが任意に設定及び変更できる点に特徴を有する。通常、案内情報は、上記のように「５００ｍ先」、「まもなく」などの表現で次の経由地点までの距離をユーザに告知する。しかし、ユーザは「５００ｍ」などの距離に対する絶対的な感覚を持ってはいない。また、「まもなく」などの表現はさらに感覚的であり、右左折を行うタイミングを把握しにくい。この点、距離に対する感覚はユーザ毎に異なるので、各ユーザが自分の感覚に合ったタイミングで、あるいは自分が案内情報を出力してもらいたい距離で案内情報が出力されるように案内距離をカスタマイズできることが望ましい。本実施例は、これを可能としたものである。
【００３５】
図４に、案内条件の設定を行うメニュー画面の表示例を示す。図示のように、このメニュー画面１１０は、経由地点までに案内情報が合計３回提供される場合、即ち案内タイミングが合計３回存在する場合の例である。メニュー画面１１０上、「１回目案内」〜「３回目案内」の各案内タイミングについて、案内距離が個別に設定されている。案内距離欄１１２には、各案内タイミングにおける案内距離が示されている。即ち、図４の例では、次の経由地点から１０００ｍの地点で１回目の案内情報が出力され、５００ｍの地点で２回目の案内情報が出力され、５０ｍの地点で３回目の案内情報が出力される。
【００３６】
案内距離欄１１２の右側には、案内距離を視覚的に示す距離ゲージ１１４が表示され、その上に、現在設定されている案内距離を示す案内距離バー１１５が表示されている。即ち、１回目の案内タイミングに対応する案内距離バー１１５は距離ゲージ１１４上の１０００ｍの位置にあり、２回目の案内タイミングに対応する案内距離バー１１５は距離ゲージ１１４上の５００ｍの位置にあり、３回目の案内タイミングに対応する案内距離バー１１５は距離ゲージ１１４上の５０ｍの位置にある。
【００３７】
ユーザは、図２に示したリモコン６０ａを操作して、各案内タイミングにおける案内距離を設定する。リモコン６０ａの上方向キー６１Ｕ及び下方向キー６１Ｄは、設定対象として１回目〜３回目のいずれかの案内タイミングを選択するために使用される。設定対象となる案内タイミングは、図中破線で示すカーソル１１６により示される。即ち、上方向キー６１Ｕ又は下方向キー６１Ｄを操作することにより、図４中のカーソル１１６がメニュー画面１１０上で上下方向に移動し、１回目〜３回目の案内タイミングのいずれかを指定する。図４の例では、設定対象として２回目の案内タイミングが指定されている状態を示している。
【００３８】
次に、１回目〜３回目のいずれかの案内タイミングが指定された状態で、ユーザが左方向キー６１Ｌ又は右方向キー６１Ｒを操作することにより、ゲージ１１４上のバー１１５の位置が左右に移動する（破線矢印１１７を参照）。よって、ユーザは案内距離を短くしたい場合は左方向キー６１Ｌを操作し、案内距離を長くしたい場合は右方向キー６１Ｒを操作する。こうして、十字キー６１を操作することにより、ユーザは各案内タイミングについて任意の案内距離を設定することができ、自分の距離感覚に合った案内距離で案内情報を出力させることができる。
【００３９】
なお、ユーザは、案内距離を「０ｍ」に設定することにより、その案内回数における案内情報の出力を中止することができる。例えば、図４の例において２回目の案内タイミングにおける案内距離を「０ｍ」に設定した場合、案内情報は経由地点から１０００ｍと５０ｍの地点で合計２回出力されることになる。これにより、ユーザは案内回数を任意に設定することもできる。こうして、ユーザは案内条件を任意にカスタマイズすることができる。
【００４０】
次に、案内条件設定処理について説明する。図５は案内条件設定処理処理のフローチャートである。なお、この処理は、ナビゲーション装置１のＣＰＵ２２が、予めＲＯＭ２３などに記憶されたプログラムを実行することにより実現される。
【００４１】
まず、ＣＰＵ２２は、案内距離の設定対象の初期設定を行う（ステップＳ１１）。具体的には、ＣＰＵ２２は、設定対象を１回目の案内タイミングに設定する。よって、初期状態では図４におけるカーソル１１６は１回目案内の位置にある。
【００４２】
次に、ＣＰＵ２２は、リモコン６０ａの十字キー６１がどの方向に操作されたかを判定する（ステップＳ１２）。左方向キー６１Ｌ又は右方向キー６１Ｒが操作された場合は、処理はステップＳ２５へ進む。
【００４３】
一方、ステップＳ１２で下方向キー６１Ｄが操作された場合、ＣＰＵ２２はその操作回数に基づいて、設定対象を決定する。即ち、下方向キー６１Ｄが（３ｎ＋１）回（ｎ：０又は正の整数）操作された場合は設定対象を２回目の案内タイミングに決定し（ステップＳ１３、Ｓ１４）、（３ｎ＋２）回操作された場合は設定対象を３回目の案内タイミングに決定し（ステップＳ１５、Ｓ１６）、３ｎ回操作された場合は設定対象を１回目の案内タイミングに決定する（ステップＳ１７、Ｓ１８）。
【００４４】
また、ステップＳ１２で上方向キー６１Ｕが操作された場合、ＣＰＵ２２はその操作回数に基づいて、設定対象を決定する。即ち、上方向キー６１Ｄが（３ｎ＋１）回操作された場合は設定対象を３回目の案内タイミングに決定し（ステップＳ１９、Ｓ２０）、（３ｎ＋２）回操作された場合は設定対象を２回目の案内タイミングに決定し（ステップＳ２１、Ｓ２２）、３ｎ回操作された場合は設定対象を１回目の案内タイミングに決定する（ステップＳ２３、Ｓ２４）。
【００４５】
次に、ステップＳ２５において、ＣＰＵ２２は左方向キー６１Ｌが操作されたか否かを判定し、操作された場合には設定対象となっている案内タイミングの距離バー１１５を左方向へ所定距離移動する（ステップＳ２６）。これにより、設定対象となっている案内回数の案内距離が所定距離だけ減少する。次に、ステップＳ２７において、ＣＰＵ２２は右方向キー６１Ｒが操作されたか否かを判定し、操作された場合には設定対象となっている案内タイミングの距離バー１１５を右方向へ所定距離移動する（ステップＳ２８）。これにより、設定対象となっている案内タイミングの案内距離が所定距離増加する。なお、ここでは左方向キー６１Ｌ又は右方向キー６１Ｒを１回操作する毎に案内距離が所定距離増減することとしているが、その代わりに、これらのキーの継続操作時間（即ち、キーを押し続けている時間）に応じて案内距離が増減するようにしてもよい。
【００４６】
次に、ＣＰＵ２２はリモコン６０ａの決定キー６２が押されたか否かを判定する（ステップＳ２９）。押されていない場合は、ユーザは未だ案内距離の設定中であるので、処理はステップＳ１２へ戻る。一方、決定キー６２が押された場合、ＣＰＵ２２はその時点において各案内タイミングに対して設定されている案内距離をＲＡＭ２４などの記憶部に保存し（ステップＳ３０）、処理を終了する。
【００４７】
以上のように、本実施例では、ナビゲーション装置１において、リモコン６０ａなどの入力装置６０と、入力装置６０に対する入力に基づいて、予め決定された地点と当該地点に関する案内情報を出力すべき案内地点との距離である案内距離を設定するシステムコントローラ２０と、設定された案内距離を記憶するＲＡＭ２４などの記憶部と、記憶部に記憶された案内距離に基づいて、案内情報を出力するシステムコントローラ２０と、を備える。よって、ユーザは任意の案内条件を設定することができ、自分の感覚に適合した、わかりやすい案内タイミングで案内情報を出力させることができる。
【００４８】
［変形例］
上記の実施例では、ユーザが案内距離の設定に使用する入力装置６０としてリモコン６０ａを例示したが、その代わりに又はそれに加えて、ディスプレイ４４上に設置されたタッチパネルを入力装置６０として使用するように構成してもよい。その場合には、ユーザは図４における各案内回数の位置をタッチすることにより設定対象となる案内回数を決定することができ、距離ゲージの左右にある矢印１１８にタッチすることにより案内距離を決定することができる。
【００４９】
また、上記の例では、案内情報は主として音声メッセージとされているが、その代わりに又はそれに加えて、ディスプレイ４４上に文字などのメッセージを表示することにより案内情報を提供するように構成してもよい。
【図面の簡単な説明】
【００５０】
【図１】実施例によるナビゲーション装置の概略構成を示すブロック図である。
【図２】入力装置の一例であるリモコンの外観を示す。
【図３】ナビゲーション画像の一例を示す。
【図４】案内条件設定時のメニュー画面例を示す。
【図５】案内条件設定処理のフローチャートである。
【符号の説明】
【００５１】
１  ナビゲーション装置
１０  自立測位装置
１８  ＧＰＳ受信機
２０  システムコントローラ
２２  ＣＰＵ
３６  データ記憶ユニット
４０  表示ユニット
６０  入力装置
【図１】
2007232390.tif 000003
【図２】
2007232390.tif 000004
【図３】
2007232390.tif 000005
【図４】
2007232390.tif 000006
【図５】
2007232390.tif 000007